(57)【特許請求の範囲】
【請求項１】
左右１対の支柱と、それらを連結する横杆とにより形成した方形枠状のフレームの前後面に、パネルを着脱可能として装着した間仕切装置において、いずれかの前記支柱の外側面に係合孔を穿設し、前記支柱の外側面を覆う側部カバーにおける前記係合孔に対向する部分に、前記係合孔に嵌合し、かつ先端部に前記係合孔の互いに対向する縁部の裏面に係合する係止爪を有する１対の弾性撓曲可能な係合片を突設し、かつ前記係合片の先端部または中間部同士を、可撓性の連結片をもって互いに連結し、さらに、前記支柱の内側面における前記係合孔と等高をなす個所に、尖先工具挿入用の通孔を設けたことを特徴とする間仕切装置における側部カバーの取付構造。
【請求項２】
１対の係合片を基板に突設することにより取付具を形成し、この取付具の基板を、側部カバーにおける支柱の係合孔との対向面に取付けた請求項１記載の間仕切装置における側部カバーの取付構造。
【請求項３】
フレームの前後面に係止孔を設け、この係止孔に、パネルの裏面に設けた係止具を係止することにより、パネルをフレームの前後面に着脱可能として装着した請求項１または２記載の間仕切装置における側部カバーの取付構造。
【発明の詳細な説明】
【０００１】
【発明の属する技術分野】
本発明は、２部材を互いに結合する結合構造を利用した間仕切装置における側部カバーの取付構造に関する。
【０００２】
【従来の技術】
室内を複数のパネルをもって仕切る間仕切装置においては、外観を向上させるために、パネルを支持する複数の支柱のうち、最も外側の支柱の外部に露呈する側面に、側部カバーを取り付けている。
【０００３】
従来、側部カバーを支柱の側面に取り付ける場合には、支柱の側面に係止孔を穿設するとともに、側部カバーの裏面に係止フックを設け、この係止フックを上記係止孔に係合させたり、或いは、支柱の側面に上下方向を向く係止溝を設け、かつ側部カバーの裏面に上下方向を向く係止突条を設けて、この係止突条を前記係止溝に圧嵌したりしていた。
【０００４】
【発明が解決しようとする課題】
しかし、係止フックを用いるものでは、振動等により側部カバーが支柱から外れるおそれがあり、また、係止突条を係止溝に圧嵌するものでは、取り外しに大きな力を要し、取り外しにくいという問題がある。
【０００５】
本発明は、上述のような問題点を解決するためになされたもので、振動等により妄りに外れることがなく、しかも、軽力で簡単に離脱させることができるようにした間仕切装置における側部カバーの取付構造を提供することを目的としている。
【０００６】
【課題を解決するための手段】
上記課題を解決するための本発明の間仕切装置における側部カバーの取付構造は、次のような特徴を有している。
(１)  左右１対の支柱と、それらを連結する横杆とにより形成した方形枠状のフレームの前後面に、パネルを着脱可能として装着した間仕切装置において、いずれかの前記支柱の外側面に係合孔を穿設し、前記支柱の外側面を覆う側部カバーにおける前記係合孔に対向する部分に、前記係合孔に嵌合し、かつ先端部に前記係合孔の互いに対向する縁部の裏面に係合する係止爪を有する１対の弾性撓曲可能な係合片を突設し、かつ前記係合片の先端部または中間部同士を、可撓性の連結片をもって互いに連結し、さらに、前記支柱の内側面における前記係合孔と等高をなす個所に、尖先工具挿入用の通孔を設ける。
【０００７】
(２)  上記(１)項において、１対の係合片を基板に突設することにより取付具を形成し、この取付具の基板を、側部カバーにおける支柱の係合孔との対向面に取付ける。
【０００８】
(３)  上記(１)または(２)項において、フレームの前後面に係止孔を設け、この係止孔に、パネルの裏面に設けた係止具を係止することにより、パネルをフレームの前後面に着脱可能として装着する。
【０００９】
【発明の実施の形態】
以下、本発明の一実施形態を備える間仕切装置について、図１〜図９を参照しながら説明する。
なお、以下の説明中においては、図１の紙面の手前側を「前方」、紙面の裏側を「後方」と定義する。
【００１０】
間仕切装置(１)の構造部材である方形枠状のフレーム(２)は、左右１対の金属製の支柱(３)(３)の上端部と下部との対向面に、左右方向を向く金属製の横杆(４)(４)の左右両端部を、溶接またはねじ止め等により固着したものである。
【００１１】
図２に示すように、両支柱(３)(３)は、その外側面に上下方向を向くＶ字溝(3a)が形成された中空のほぼ角管状のものであり、その前後両面における上端部と下端部とにはパネル(Ｐ)係止用の係止孔(3b)（図２では上端部のもののみ図示）が穿設されている。
【００１２】
図２及び図７に示すように、支柱(３)における外側面と前面及び後面とが交わる角部には、図示を省略した棚板等のブラケットを係止するための多数のスリット(3c)が、上下方向に並べて穿設されている。
【００１３】
図７〜図９に示すように、支柱(３)の外側面の上下２個所には、後述する取付具(10)の係合片(15)を嵌合するための係合孔(3d)が穿設（図では上部のもののみ図示）されており、また、図２及び図８に示すように、内側面における係合孔(3d)と等高をなす個所には通孔(3e)（図では上部のもののみ図示）が穿設されている。
【００１４】
パネル(Ｐ)は、フレーム(２)とほぼ同形同寸法のものであり、その裏面の四隅に設けられた下向きのフック等の係止具(５)（図２において上端部の一方のもののみ図示）を支柱(３)の係止孔(3b)に嵌合して係止させることにより、フレーム(２)の前後両面に取り付けられている。
また、フレーム(２)の上面には、左右方向を向く上部カバー(６)が取り付けられており、フレーム(２)の前後両面の下端部には、左右方向を向く幅木(７)が取り付けられている。
【００１５】
支柱(３)の外側面（複数枚のパネル(Ｐ)を左右方向に連結した間仕切装置においては、その最も外側に配置される支柱(３)の外側面）に取り付けられる上下方向を向く側部カバー(８)は、合成樹脂材により成形されたものであり、その裏面における係合孔(3d)と等高をなす個所には、やや大寸でほぼ長方形状の嵌合孔(９)が穿設されている。
【００１６】
図２〜図５に詳しく示したように、嵌合孔(９)に取り付けられる取付具(10)は、以下に詳しく説明するような合成樹脂製のものである。
嵌合孔(９)と同寸同形状をなす垂直板状の基板(11)の四隅には、やや足の長い突片(12)が左方に向けて立設されており、前後方向に隣り合う突片(12)同士は前後方向を向く補強片(13)で結合され、前後の側縁部には、先端部が基板(11)の前方及び後方に若干突出する、弾性変形可能な上下１対ずつの抜け止め片(14)が左方に向けて設けられている。
【００１７】
基板(11)のほぼ中央部には、弾性変形可能な左方を向く上下１対の係合片(15)が突設されており、両係合片(15)(15)の先端部同士は、薄肉で可撓性のある正面視ほぼく字形の連結片(16)をもって互いに結合され、両係合片(15)(15)の先端部の上下の外面には、平面視ほぼＶ字形の係止爪(17)(17)が連設されている。
基板(11)における係合片(15)(15)の上方と下方とには、先端部が基板(11)の裏側に向かって若干突出する、弾性変形可能な押圧片(18)(18)が削出されている。
【００１８】
取付具(10)を図２に示す姿勢のまま嵌合孔(９)に押し込むと、抜け止め片(14)は、嵌合孔(９)の周縁部に圧接して内側に若干弾性変形した後、側部カバー(８)の内部において外向きに弾性復帰する。取付具(10)が、押圧片(18)が嵌合孔(９)の底部に当接するまで押し込まれると、抜け止め片(14)は嵌合孔(９)の周縁部の裏面に係合し、四個の突片(12)は嵌合孔(９)の四隅に係合する（図５、図８参照）。
このようにして取付具(10)を嵌合孔(９)に取り付けると、取付具(10)は側部カバー(８)に対して、上下左右及び前後方向に移動不能になるとともに、側部カバー(８)に対して相対回転不能となる。
【００１９】
側部カバー(８)と一体となった取付具(10)の係合片(15)(15)を、四隅の突起(12)を支柱(３)のスリット(3c)に嵌合しながら（図６、図７参照）、係合孔(3d)に押し込むと、係止爪(17)が係合孔(3d)の上下両縁部に圧接して、係合片(15)(15)は互いに近づく方向に若干弾性変形させられる。
係止爪(17)が係合孔(3d)を乗り越えて支柱(３)の内部に入ると、係合片(15)(15)が上下方向に広がり、Ｖ字状の係止爪(17)(17)がＶ字溝(3a)の裏面に係合し、側部カバー(８)の裏面が支柱(３)の外側の端面に当接することにより（図６、図８参照）、側部カバー(８)は支柱に対してがたつくことなく取り付けられる。
【００２０】
また、このようにして側部カバー(８)を支柱(３)に取り付けると、取付具(10)の突片(12)が支柱(３)のスリット(3c)に嵌合しているので、取付具(10)が支柱(３)に対して相対回転することはなく、取付具(10)と一体となっている側部カバー(８)の相対回転も規制される。
【００２１】
パネル(Ｐ)をフレーム(２)から取り外した状態で、図９に示すように、フレーム(２)の内側から支柱(３)の通孔(3e)に、例えばドライバー(19)のような先端の尖ったものを挿入し、ドライバー(19)の先端部で連結片(16)を外向きに押圧し、上下の係合片(15)(15)を互いに近づく方向に弾性変形させれば、係止爪(17)(17)と係合孔(3d)との係合が解除され、側部カバー(８)を支柱(３)から簡単に取り外すことができる。
【００２２】
なお、連結片(16)は、図３に想像線(16')で示すように、１対の係合片(15)の中間部同士を連結するように設けても、上記と同様に作用することができる。
【００２３】
【発明の効果】
本発明によれば、次のような効果を奏することができる。
(ａ)  請求項１記載の発明によれば、間仕切装置における支柱の側面に、側部カバーを簡単かつ確実に取り付けることができるとともに、側部カバーを容易に外すこともできる。
また、係合孔に、１対の係合片を挿入するだけで、側部カバーを支柱に簡単に結合することができるとともに、１対の係合片の係止爪が係合孔の互いに対向する縁部の裏面に係合することにより、振動等によって妄りに係合が外れることがなく、しかも、連結片の中間部を、先尖状の工具等により押し込んで、両係合片の先端部を互いに内方に弾性撓曲させることにより、両係止爪を係合孔の縁部から簡単に外して、側部カバーを支柱から簡単に離脱させることができる。
(ｂ)  請求項２記載の発明によれば、取付具を側部カバーの任意の位置に取り付けることができるので、長さの異なる複数の支柱や側部カバーを用意しておく必要がある場合や、取付具の取付位置を変更しなければならない場合等に便利である。
【図面の簡単な説明】
【図１】  本発明の第１の実施形態を備える間仕切パネルの正面図である。
【図２】  同じく間仕切パネルの要部の拡大分解斜視図である。
【図３】  同じく取付具の側面図である。
【図４】  同じく底面図である。
【図５】  同じく取付具を側部カバーに取り付けた状態の側部カバーの要部の裏面図である。
【図６】  同じく図１のVI−VI線に沿う拡大横断平面図である。
【図７】  同じく図６のVII−VII線に沿う拡大縦断側面図である。
【図８】  同じく図６のVIII−VIII線に沿う拡大縦断側面図である。
【図９】  同じく取付具と支柱の係合孔との係合を解除する様子を示す図８と同様の拡大縦断側面図である。
【符号の説明】
(１)間仕切装置
(２)フレーム
(３)支柱（一方の部材）
(3a)Ｖ字溝
(3b)係止孔
(3c)スリット
(3d)係合孔
(3e)通孔
(４)横杆
(５)係止具
(６)上部カバー
(７)幅木
(８)側部カバー（他方の部材）
(９)嵌合孔
(10)取付具
(11)基板
(12)突片
(13)補強片
(14)抜き止め片
(15)係合片
(16)(16')連結片
(17)係止爪
(18)押圧片
(19)ドライバー
【図１】
0004060964.tif 000002
【図２】
0004060964.tif 000003
【図３】
0004060964.tif 000004
【図４】
0004060964.tif 000005
【図５】
0004060964.tif 000006
【図６】
0004060964.tif 000007
【図７】
0004060964.tif 000008
【図８】
0004060964.tif 000009
【図９】
0004060964.tif 000010